(57)【特許請求の範囲】
【請求項１】
材料凹部を介して、外側マウントリング、内側マウントリング、及び、互いに１２０°だけずれるように配置された３つの接続構造であって、前記内側マウントリングと前記外側マウントリングを接続する接続構造に分割される、対称軸を有する環状体を有する一体式レンズマウントであって、
前記接続構造がそれぞれの場合に、移行部により接続された接続ウェブであって、半径方向接続ウェブと軸方向接続ウェブとして交互に構成された一連の少なくとも３つの接続ウェブにより形成され、前記半径方向接続ウェブが半径方向に或る長さを有し、前記軸方向接続ウェブが軸方向に或る長さを有し、前記軸方向接続ウェブの長さが前記半径方向接続ウェブの長さより大きく、
前記半径方向接続ウェブは前記軸方向に或る厚みを有し、前記軸方向接続ウェブは前記半径方向に或る厚みを有し、前記軸方向接続ウェブの厚みは前記半径方向接続ウェブの厚みより小さい、一体式レンズマウント。
【請求項２】
前記半径方向接続ウェブ及び前記軸方向接続ウェブは、前記軸方向接続ウェブの厚みより小さい同じ幅を有する、請求項１に記載の一体式レンズマウント。
【請求項３】
斜面長さを有する斜面が前記半径方向及び軸方向接続ウェブの間の移行部に形成され、それにより移行部の曲げ剛性が前記斜面長さの寸法によって影響される、請求項１に記載の一体式レンズマウント。
【請求項４】
前記内側マウントリング及び前記外側マウントリングに接続した前記接続ウェブは、それぞれの場合に、前記半径方向接続ウェブのうちの１つである、請求項１に記載の一体式レンズマウント。
【請求項５】
前記内側マウントリング及び前記外側マウントリングに接続した前記接続ウェブは、それぞれの場合に、前記半径方向接続ウェブのうちの１つである、請求項２に記載の一体式レンズマウント。
【請求項６】
前記接続構造は、前記外側マウントリングの基準線の高さで前記外側マウントリングに接続する、請求項１に記載の一体式レンズマウント。
【請求項７】
前記接続構造は、前記外側マウントリングの基準線の高さで前記外側マウントリングに接続する、請求項２に記載の一体式レンズマウント。
【請求項８】
前記接続構造は、前記内側マウントリングの基準線の高さで前記内側マウントリングに接続する、請求項７に記載の一体式レンズマウント。
【発明の詳細な説明】
【背景技術】
【０００１】
レンズマウントは基本的に、接合群（cemented groups）とも呼ばれる互いに結合された複数のレンズ又は個々の光学レンズ（以下では単にレンズと呼ぶ）を、レンズ装置内で正確に設置された及び／又は調節された位置に、すなわち、互いに対する所定の間隔及び向きで正確に保持するために使用される。これ以外に、特に非常に低い波面変形及び減極を特徴とする、結像品質のための高い要件を有するレンズ装置にとって、レンズが、環境に対して安定するように及び可能な限り変形が無く残留応力の無いように設けられることと、搭載レンズが高い固有周波数を有することが重要である。
【０００２】
レンズマウントで生じる応力、従って搭載レンズに作用する力には多数の異なる理由がある。
【０００３】
以下で述べる３つの原因が、レンズマウントにおいて又はレンズマウントとレンズの間に個々に又は同時に応力を生じさせる主な原因である。
【０００４】
１つの理由は、マウントの及び光学素子の材料の異なる膨張率により生じる熱応力を利用しなければならないことである。周囲温度の変動の結果又は特に放射線が当たったときにレンズが加熱されたときに、熱応力は生じる。半径方向に搭載されたレンズの場合、生じる熱応力は、実質的にレンズへのラジアル力の導入によってレンズに作用する。
【０００５】
応力の別の理由は調節ユニットの作動であろう。調節ユニットの作動により、レンズマウントが内側マウントリングと外側マウントリングに分けられるときに、レンズが保持された内側マウントリングが外側マウントリングに対して調節される。この場合にも、実質的に半径方向に働く力（以下では、ラジアル力）又は少なくともラジアル平面に働く力がレンズに導入される。
【０００６】
熱誘起された力はレンズマウントの対称軸に対して対称的に作用するが、調節ユニットの作動により生じる力は逐一、非対称に作用する。
【０００７】
第３の理由は、個々のレンズマウントを互いに接続する点にある。この種の接続は、例えば、同じ外径を有するレンズマウントが対物レンズ鏡筒に連続的に挿入され、全面取付ねじリングによって固定されることで創出できる。この種の接続はまた、レンズマウントが例えばねじにより互いに接続されることでも創出される。高い保持力のために、マイクロメートル範囲の平面度の偏差でさえ、レンズマウントの著しい変形をもたらす。この変形が全部レンズに伝わった場合、ある程度の変形をもたらし、又はレンズの結像品質を許容できないほど悪化させる応力がレンズに導入されることになる。
【０００８】
レンズが互いに接続される方法にかかわらず、２つの隣接して配置されたレンズマウントの端面は互いに直接又は調節リングを介して接触する。レンズマウント及び／又は調節リング（使用される場合）の端面のいかなる凸凹も、原則として、レンズマウントの捩れをもたらし、それゆえレンズに働く、半径方向及び軸方向に作用する力をもたらす。この捩れは、ねじによる接続の場合にはねじでの締め付けトルクを異ならせることによっても生じる。
【０００９】
従来技術では、前述した様々な応力がレンズマウントに保持されたレンズに伝わることをできるだけ防ぐために、多様な手段が講じられる。これら手段は、レンズマウントの材料、寸法決め及び／又は構造設計の選択にある。
【００１０】
構成に関して、レンズの変形を少なくとも軽減する最も簡単な方法は、レンズマウントがレンズと連絡するために介する接触表面の実質的な変形が無いように、外側マウントリングと内側マウントリングに分けられたマウントの内側マウントリングを非常に強固に構成することである。しかしながら、これは、小さい取り付けスペース、材料の経済的な使用及び軽量構造に対する要求と相反し、非常に過度に要求する要件のために技術的に不可能である。
【００１１】
特に外側マウントリングに作用する力又はモーメントが内側マウントリングに伝達するのを防止するために、外側マウントリングと内側マウントリングが互いに接続されるときに介する接続構造を設計することがより一般的である。
【００１２】
特に、内側マウントリングに伝達される力を吸収してこれらの力をレンズに伝達させないために、レンズを保持するマウントリングであって、内側マウントリングであってもよいマウントリングを設計することも公知である。このために、例えば特許文献１から公知のレンズマウントでは、レンズに形成された環状溝に半径方向に延在するレンズマウントに、弾性セグメントが形成される。
【００１３】
上に列挙した３つの基本的に異なる手段、すなわち、レンズとの接触領域での  変形を防ぐための強固な構成、接続構造による力の吸収及びレンズを直接保持するマウントリングによる力の吸収は、応力から分離するようにレンズをレンズマウントに保持するために、個々に又は組み合わせて講じることができる。
【００１４】
本明細書の意味において「応力から分離される」又は「変形から分離される」は、外側マウントリングにて生じた応力が内側マウントリングに実際に全く伝達しないことを意味せず、むしろ応力がせいぜい僅かに伝達されることを意味する。
【００１５】
説明したように、外側マウントリングで生じる応力の前述した原因は、主に、半径方向軸と垂直な軸、又はそれぞれの接続構造を通って延びる仮想半径方向軸の伸長と垂直な軸（以下では接続軸）の周りの接続構造の屈曲をもたらすアクティブな力である。他方で、接続軸の周りに作用する捩りモーメントは接続構造に捩れを生じさせる。生じる全ての効果、組み合わせで生じる効果に関してさえ、接続構造は、レンズマウントの、それゆえ接続構造の引張剛性、曲げ剛性及び捩り剛性に依存して様々な程度で接続構造を介して伝達される力を受ける。
【００１６】
この点について、引張剛性は半径方向軸に沿う剛性を特徴とし、曲げ剛性は半径方向軸と垂直な軸に沿う剛性を特徴とし、捩り剛性は半径方向軸の周りの剛性を特徴とする。
【００１７】
応力から分離されるように内側マウントリングを外側マウントリングに接続する接続構造は、予期される力又は捩りモーメントにより外側マウントリングに導入される応力をせいぜい僅かな程度内側マウントリングに伝達する接続構造を意味する。
【００１８】
特許文献２から公知のマウント装置は、レンズ又は他の光学素子を保持するマウントリングとして機能する、又は異なる直径のマウントリングを適合させるためのスペーサーリング又は適合リングとして機能する多数の光学リングを有している。これら光学リングの端面が、リングにねじ留めするために設けられた穴の周りの表面処理された小さい窪みであるとき、これら窪みの結果、リングが一緒にねじ留めされると変形することが断定されている。この変形を防ぐために、光学リングが軸方向に穴の周りを補強されること、すなわち光学リングが厚く、それゆえより強固に作られる一方、ねじが皿穴に埋められることが提案されている。隣接するレンズ間の最小の距離の増加、軸方向の増大する取り付けスペース及び余計な重量は不利である。端面の許容差のために２つの接続した光学リングの捩れは考慮されない。
【００１９】
特許文献３は、光学素子が変形から分離されるように保持されたレンズマウントを提案している。この種のレンズマウントは、他の外側リングとレンズを保持する内側リングに接続し得る外側リングを有する。外側リングと内側リングは三点曲げサポートを介して連絡する。この三点曲げサポートは、外側マウントに配置された部材であって、内側マウントの軸受位置内又は上に支持された３つの軸受部材から形成される。三点曲げサポートは、外側リングにおける内側リングの正確に定められた姿勢を保証し、力の伝達、ゆえに外側リングから内側リングへの応力の伝達、対応的にレンズへの応力の伝達が排除される。この種のレンズマウントの不都合は、製造及び組立の際の比較的高い支出と、衝撃の際の比較的小さくて少ない接触位置の高い負荷である。
【００２０】
マウントと接続構造を介してそこに保持された素子を有するアセンブリが特許文献４に記載されている。接続構造は、光学素子の照射により生じる一様でない加熱が接続構造により少なくとも部分的に均質化されるように構成される。
【００２１】
接続構造は、異なる熱伝導率を有する材料のウェブ又は異なる断面を有するウェブであってもよい。
【００２２】
特許文献５は、レンズマウントの変形から分離されるようにレンズが保持されたレンズマウントを開示している。レンズマウントは正三角形の上面（フットプリント）を有し、３つのブロックがその角に形成されている。各々の角は、三角の（three-cornered）レンズマウントの側面を形成する２つの板状の外側補強材に接続する。ブロックはそれぞれの場合に、アクチュエータ又はその一部に接続できる。レンズマウントを強化するために外側補強材の間に内側補強材があってもよい。全ての２つのブロックの間の中央には、薄膜状部品が挿入される丸い切欠が外側補強材に設けられる。これらの部品はシート状であってもよく、又は好ましくはスポーク車輪と似ていてもよい。レンズマウントと薄膜状部品は同じ材料から作られてもよい。しかしながら、それらは好ましくは別個に製造される。ブロックも好ましくは別個に製造され、取り付けられる。レンズは３つの薄膜状部品に当接し、従って応力に関して実際のレンズマウントから分離されるように薄膜状部品を介して保持される。このレンズマウントにおける主な欠点は相当な半径方向の取り付けスペースである。
【００２３】
特許文献６は、多数のマウントが３つの脚を介してそれぞれの場合に外側フランジにおいて光学モジュールのモジュール軸と同軸に保持された光学モジュールを開示している。３つの脚はそれぞれの場合に、玉継手の様式で可動な曲げ継手を介して１つの平面内でフランジに接続し、また別の平面内で玉継手の様式で可動な２つの曲げ継手を介してマウントの１つに接続している。モジュール軸の方向の自由度によって、マウントは過剰に規定された態様では保持されていない。理論的には、フランジに作用する力は、マウントに伝達されることなく軸方向運動に変換される。しかし実際には、マウントへの力の伝達は、可動な曲げ継手で生じる摩擦又は可撓性構造の場合に生じる復元力のために十分には防げない。
【００２４】
特許文献７は、光学素子及びマウントを有するアセンブリを開示している。アセンブリでは、光学素子は、多数のラグを介して中間リング（内側マウントリング）に連結しており、中間リングは調節部材を介してマウント（外側マウントリング）に接続している。
【００２５】
特許文献８にて探求されたソリューションによれば、マウントリングの連結から生じる機械的応力を搭載レンズに伝達せずに多数のマウントリング（レンズマウント）を互いにスタックとして接続することができる。このために、環状体が、スリットによって、３つの弾性要素（接続構造）を介して一体式に互いに接続された外側マウントリングと内側マウントリングに分割される。提案された接続構造の各々は、外側マウントリングと内側マウントリングに接続するリングセグメントを形成する。接続構造の各々は個々のバネ要素を示す。半径方向の曲げ剛性及び捩り剛性は、ほんの２，３のパラメータにより変更でき、半径方向のリングセグメントの幅と周囲に沿うそれらセグメントの長さによって設計及び寸法に依存して決定される。高い曲げ剛性及び捩り剛性は、特に、示されているように全高に沿って形成された緩和スリットの異なるバリエーションにおいて予期できる。
【００２６】
特許文献９は、接続構造が一体式に形成された外側マウントリングと、光学素子が直接取り付けられた自由端とを備えた精密レンズマウントを開示している。接続構造は、互いに入り込んだ軸方向ウェブ及び半径方向ウェブを有する。軸方向ウェブの長さは半径方向ウェブの長さより大きい。
【先行技術文献】
【特許文献】
【００２７】
【特許文献１】ＥＰ１０９４３４８Ｂ１
【特許文献２】ＵＳ５３５３１６６Ａ
【特許文献３】ＤＥ１００３０００５Ａ１
【特許文献４】ＤＥ１９８０７０９４Ａ１
【特許文献５】ＥＰ１３１０８２９Ｂ１
【特許文献６】ＤＥ１０２００４０２５８３２Ａ１
【特許文献７】ＤＥ１９８２５７１６Ａ１
【特許文献８】ＵＳ５４８８５１４Ａ
【特許文献９】ＵＳ４７３３９４５Ａ
【発明の概要】
【発明が解決しようとする課題】
【００２８】
本発明の課題は、主に外側マウントリングに導入される応力によって接続構造において生じるラジアル力又は捩りモーメントが内側マウントリングに伝達しないように構成された接続構造を介して接続された外側マウントリング及び内側マウントリングを備えたレンズマウントを提供することである。
【課題を解決するための手段】
【００２９】
材料凹部を介して、外側マウントリング、内側マウントリング、及び、互いに１２０°だけずれるように配置された３つの接続構造であって、それにより内側マウントリングが外側マウントリングに接続される接続構造に分割される環状体によって形成された一体式レンズマウント（モノリシックレンズマウント）に対して、上述した目的は、接続構造がそれぞれの場合に、移行部により接続された接続ウェブであって、半径方向接続ウェブと軸方向接続ウェブとして交互に構成された一連の少なくとも３つの接続ウェブにより形成されること、半径方向接続ウェブが半径方向に或る長さを有し、軸方向接続ウェブが軸方向に或る長さを有し、軸方向接続ウェブの長さが半径方向接続ウェブの長さより大きいことにより達成される。
【００３０】
半径方向接続ウェブは軸方向に或る厚みを有し、軸方向接続ウェブは有利には半径方向に或る厚みを有する。軸方向接続ウェブの厚みは半径方向接続ウェブの厚みより小さく、それにより軸方向接続ウェブの低い曲げ剛性は半径方向接続ウェブの曲げ剛性に比例して小さくなる。
【００３１】
有利な態様では、半径方向接続ウェブ及び軸方向接続ウェブは同じ幅を有し、該幅は軸方向接続ウェブの厚みより小さく、そのため接続構造が低い捩り剛性を有する。
【００３２】
接続ウェブ間の移行部に或る斜面長さを有する斜面を形成し、それにより移行部の曲げ剛性が斜面長さの寸法により影響されると有利である。
【００３３】
内側マウントリングに接続した接続ウェブと外側マウントリングに接続した接続ウェブがそれぞれの場合に半径方向接続ウェブであると有利である。
【００３４】
接続構造は好ましくは、外側マウントリングの基準線（ゼロ線）の高さで外側マウントリングに接続されるか、追加的に接続構造は内側マウントリングの基準線（ゼロ線）の高さで内側マウントリングに配置される。
【００３５】
以下では、本発明を実施例と図面を参照してより完全に説明する。
【図面の簡単な説明】
【００３６】
【図１ａ】接続構造の第１構成を備えたレンズマウントの平面図である。
【図１ｂ】図１ａに従うレンズマウントの断面図である。
【図１ｃ】図１ｂに従うレンズマウントの接続構造のうちの１つの詳細図である。
【図２ａ】接続構造の第２構成を備えたレンズマウントの断面図である。
【図２ｂ】図２ａに従うレンズマウントの断面図である。
【図２ｃ】図２ｂに従うレンズマウントの接続構造のうちの１つの詳細図である。
【図３】接続構造の第３構成の詳細図である。
【図４】接続構造の第４構成の詳細図である。
【図５】接続構造の第５構成の詳細図である。
【図６】接続構造の第６構成の詳細図である。
【図７】接続構造の第７構成の詳細図である。
【発明を実施するための形態】
【００３７】
本発明に従うレンズマウントの全ての構成は、対称軸０を有する環状体によって形成されている。この環状体は、材料凹部を介して、外側マウントリング１、内側マウントリング２、及び、互いに１２０°だけずれるように配置された３つの接続構造３に分割されている。外側マウントリング１は少なくとも１つの端面を有し、該端面を介して内側マウントリングが他のレンズマウントにおけるちょうどこの種類の外側マウントリング１ａに接続できる。レンズは内側マウントリング２内に取り付けられる。
【００３８】
外側マウントリング１と内側マウントリング２を分割する材料凹部は、実施例の描写では環状カットとして示されている。しかしながら、内側マウントリング２を部分的に幅広くなるように構成するために、それら凹部は任意の有効な態様でカットされてもよい。
【００３９】
内側マウントリング２はまた、レンズが受容されうる可撓性要素を用いた例により示されている。しかしながら、本発明に従うレンズマウントは特に、内側マウントリング２の構成とは完全に独立して接続構造３の構成に関する。
【００４０】
接続構造３は、互いに入り込んだ接続ウェブであって、対称軸０に対して半径方向及び軸方向に交互に配置された一連の少なくとも３つの接続ウェブである。内側マウントリング２に入り込んだ接続ウェブと外側マウントリング１に入り込んだ接続ウェブは望ましくは、環状体の対称軸０に対して半径方向に配置される。環状体の対称軸０はまた、内側マウントリング２の対称軸と外側マウントリング１の対称軸を示す。
【００４１】
新規ではないが、接続構造３が外側マウントリング１と内側マウントリング２の間の一体式接続であることが重要である。対応的に、レンズマウントが材料除去により作られるとき、接続ウェブは、材料切欠の間に残る材料ウェブであって、互いに接続するとともに撓み軸受によって外側マウントリング１及び内側マウントリング２にそれぞれ接続される材料ウェブである。場合によっては摩擦が克服されるまで接続ウェブを固く作動させ得る摩擦は、撓み軸受には無い。
【００４２】
環状体のために選択された材料にかかわらず、引張剛性、曲げ剛性及び捩り剛性は、接続ウェブの量と寸法によって接続構造３のためになるべく低く調節され、それにより外側マウントリング１に発生する応力が内側マウントリング２に伝達することが防止される。言い換えれば、これは、接続構造３が伸長、屈曲及び捩れに関して必要なだけ柔らかくなる（弾性に富む）ように寸法決めされることを意味する。２つの隣接する撓み軸受の間の距離と等しい接続ウェブの長さｌ１，ｌ２、半径方向及び軸方向の伸長に等しい接続ウェブの厚みｄ１，ｄ２、及び対称軸０の周りの円に沿う伸長に等しい接続ウェブの幅ｂは、接続ウェブを寸法決めするために利用できる。
【００４３】
半径方向に延在する接続ウェブ−半径方向接続ウェブ３．１−は、軸方向に板バネのように作用し、軸方向に延在する接続ウェブ−軸方向接続ウェブ３．２−は、半径方向に板バネのように作用する。それらは好ましくは幅ｂにおいて同一であり、厚みｄ１，ｄ２及び特にそれらの長さｌ１，ｌ２に関して自由に寸法決めでき、それにより半径方向及び軸方向の曲げ剛性と捩り剛性が影響される。
【００４４】
半径方向接続ウェブ３．１は最短の可能な長さｌ１と好ましくは比較的大きい厚みｄ１を有し、それにより接続構造３は軸方向に最大の可能な曲げ剛性を有する。半径方向の最低の可能な曲げ剛性のために、軸方向接続ウェブ３．２の長さｌ２はできるだけ長く、それらの厚みｄ２は好ましくは比較的小さい。
【００４５】
減少した幅ｂを有する接続構造３はますます低い捩り剛性を有する。
【００４６】
接続ウェブ３．１，３．２の互いへの移行部と、内側マウントリング２及び外側マウントリング１への接続構造３の移行部とにより形成された撓み軸受はそれぞれ、斜面４によって、関連する接続ウェブ３．１，３．２の厚みｄ１，ｄ２に対して弱められてもよい（図３参照）。従って、斜面長さｌ４は、接続ウェブ３．１，３．２の長さｌ１，ｌ２、厚みｄ１，ｄ２及び幅ｂに加えて、曲げ剛性及び捩り剛性に影響を与える別のパラメータである。
【００４７】
軸方向接続ウェブ３．２が半径方向に弾性変形可能であり、すなわち半径方向に低い曲げ剛性を有し、それにより軸方向接続ウェブが撓み軸受の屈曲から生じる反力を吸収できることも重要である。半径方向及び軸方向接続ウェブ３．１，３．２が半径方向に固い場合、反力は内側マウントリング２に接続した撓み軸受に伝わり、そこで内側マウントリング２の変形をもたらす反力を生じさせてしまう。
【００４８】
接続構造３の形状によってレンズマウントの半径方向寸法をなるべく小さく増大させる要件と相反するのは、半径方向接続ウェブ３．１の短い長さｌ１が高い軸方向の曲げ剛性をもたらし、軸方向接続ウェブ３．２の長い長さｌ２が低い半径方向の曲げ剛性をもたらすという事実である。接続構造３における軸方向の曲げ剛性に対する半径方向の曲げ剛性の比は長さ比（長さ係数）によって調節できる。
【００４９】
軸方向の曲げ剛性及び半径方向の曲げ剛性はまた、接続ウェブ３．１，３．２の厚みｄ１，ｄ２によって決定される。ゆえに、選択される軸方向接続ウェブ３．２の厚みｄ２が半径方向接続ウェブ３．１の厚みｄ１より小さいと有利である。
【００５０】
図１ａ，１ｂ，１ｃに示されるように、比較的なるべく小さい取り付けスペースを要求する３つの接続ウェブ３．１，３．２を備えた接続構造３のために、接続構造３が十分に半径方向に柔らかく、軸方向に固く、捩れに柔らかいように、接続ウェブ３．１，３．２の厚みｄ１，ｄ２、幅ｂ及び長さｌ１，ｌ２が選択される。特に、図５，６，７に示されるように、環状体の厚み全体は軸方向接続ウェブ３．２の長さｌ２のために利用できる。さらに、図７は、接続構造３のための実施例を示しており、ここではこの接続構造３が軸方向接続ウェブ３．２を介して内側マウントリング２に移行する。同様にして、接続構造３の外側マウントリング１への移行部が軸方向接続ウェブ３．２によって形成されてもよいが、これは有利ではない。
【００５１】
設計及び安定性により書き取られた（指示された）接続ウェブ３．１，３．２の厚みｄ１，ｄ２、幅ｂ及び長さｌ１，ｌ２のための最小寸法が可能でない場合、接続構造３は、図２ａ，２ｂ，２ｃに示されるように５つの接続ウェブ３．１，３．２により形成され、又は例えば図６に示されるように大きめの奇数の接続ウェブ３．１，３．２により形成される。
【００５２】
外側マウントリング１に導入される力及びモーメントが主に、外側マウントリング１に接続した撓み軸受の屈曲及び回転を生じさせ、隣接する半径方向接続ウェブ３．１において反力及び反作用モーメントを生じさせる。反力及び反作用モーメントは、曲げ剛性及び捩り剛性に依存して、軸方向接続ウェブ３．２の変形により多かれ少なかれ一部吸収され、次の撓み軸受に一部伝達され、そこから再び一部吸収され、一部伝達される。接続ウェブ３．１，３．２は最小の曲げ剛性と最小の捩り剛性を常に有するので、反力は１つの接続ウェブ３．１，３．２単体によって完全には吸収できないが、一連の接続ウェブ３．１，３．２によってだんだん吸収される。
【００５３】
好ましくは、外側マウントリング１への接続構造３の移行部は外側マウントリング１の基準線の高さに位置する。引張応力も圧縮応力もこの基準線に沿って生じないように、外側マウントリング１の長さは屈曲の間変わらない。
【００５４】
従って、有利な態様では、外側マウントリング１の端面に隣接する移行部の配置に比べて、基準線の周りの比較的小さい屈曲だけが接続構造３に導入される。
【００５５】
技術的な理由のために、内側マウントリング２への接続構造３の移行部は好ましくは、外側マウントリング１の基準線により画定される平面内に配置される。
【００５６】
しかしながら、それら移行部は他のいずれかの高さに、理想的には応力に関する技術的理由のために、内側マウントリング２の基準線の高さに配置されてもよい。
【００５７】
図３は、接続ウェブ３．１，３．２間の移行部の斜面４によって第１実施例の接続構造とは異なる接続構造３の構成を示す。ゆえに、撓み軸受として機能する移行部はより柔らかい。斜面４は斜面長さｌ４を有し、移行部の曲げ剛性はこれら斜面４の寸法により影響される。図４に示されるように、移行部が溝（ノッチ）により弱められると遜色のない効果が実現される。
【００５８】
接続構造３の構成にかかわらず、外側マウントリング１及び内側マウントリング２は従来技術のような多様な方法で構成されてもよい。外側マウントリング１の構成は、特に光学系にレンズマウントを取り付ける際に生じる様々な制約の結果、異なってもよい。内側マウントリング２の構成は、搭載レンズに対する半径方向又は軸方向接続、接着結合又は確動係合接続の結果、異なってもよい。内側マウントリング２は、応力に関して内側マウントリング２の周面からレンズと内側マウントリング２の接触領域を分離する構造的特徴、例えば上述した特許文献１から公知の可撓性セグメントを有してもよい。
【符号の説明】
【００５９】
０  対称軸
１  外側マウントリング
２  内側マウントリング
３  接続構造
３．１  半径方向接続ウェブ
３．２  軸方向接続ウェブ
４  斜面
ｂ  （接続ウェブ３．１，３．２の）幅
ｄ１  （半径方向接続ウェブ３．１の）厚み
ｄ２  （軸方向接続ウェブ３．２の）厚み
ｌ１  （半径方向接続ウェブ３．１の）長さ
ｌ２  （軸方向接続ウェブ３．２の）長さ
ｌ４  斜面長さ
【図１ａ】
0006609536.tif 000002
【図１ｂ】
0006609536.tif 000003
【図１ｃ】
0006609536.tif 000004
【図２ａ】
0006609536.tif 000005
【図２ｂ】
0006609536.tif 000006
【図２ｃ】
0006609536.tif 000007
【図３】
0006609536.tif 000008
【図４】
0006609536.tif 000009
【図５】
0006609536.tif 000010
【図６】
0006609536.tif 000011
【図７】
0006609536.tif 000012